(57)【特許請求の範囲】
【請求項１】
表示領域を有したアレイ基板と、
前記表示領域を有し、前記アレイ基板に隙間をおいて対向配置された対向基板と、
前記アレイ基板と対向基板間に挟持された液晶層と、
前記アレイ基板及び対向基板間の前記表示領域に設けられた複数の画素と、
前記対向基板に設けられ、遮光部と、４種類有し、前記アレイ基板及び対向基板の平面に沿った複数方向に種類を異ならせて島状に配置され、それぞれ前記画素を形成する複数の着色層と、を含み、前記複数の着色層は最大で３種類の着色層の接点部を有し、前記接点部は前記遮光部に重なって位置しているカラーフィルタと、
前記アレイ基板又は対向基板に形成され、前記遮光部及び接点部に重ねられ、前記アレイ基板と対向基板間の隙間を保持した複数の柱状スペーサと、を備え、
前記複数の着色層は、前記複数方向である第１方向及び前記第１方向に直交した第２方向に沿った辺を持つ矩形状に形成され、
前記複数の着色層間の角部同士の接点部の数は２であり、
前記複数の着色層は、前記第１方向において前記第２方向に互いにずれて配置され、前記第２方向において直線状に並んで配置され、
前記遮光部は、前記複数の着色層の周縁に重なるよう格子状に形成され、
前記複数の着色層の内、第１着色層と、前記第１着色層に前記第２方向に隣合う第２着色層と、前記第１着色層に前記第１方向に隣合う第３着色層と、前記第２着色層に前記第１方向に隣合い前記第３着色層に前記第２方向に隣合う第４着色層とは、互いに種類が異なり、
前記第１着色層及び第２着色層間の第１境界線、並びに前記第３着色層及び第４着色層間の第２境界線、の前記第２方向の間隔をΔｙ、
前記遮光部の前記第２方向の幅をＢｙ、
前記第２方向における、前記第１境界線の前記第２境界線側へのずれ量及び前記第２境界線の前記第１境界線側へのずれ量をＷｃｙ１、とすると、
２Ｗｃｙ１＜Δｙ＜Ｂｙ
であることを特徴とする液晶表示パネル。
【請求項２】
前記複数の柱状スペーサは、前記アレイ基板に形成され、
前記柱状スペーサの前記第２方向の幅をＳｙ、
前記遮光部の幅をＢｙ、
前記第２方向における、前記着色層及び遮光部の重なり幅をＭｙ、
前記第２方向における、前記柱状スペーサの前記遮光部の第１側縁側又は第２側縁側へのずれ量をＧｙ、とし、
一画素内において前記重なり幅に大小がある場合、前記重なり幅の小さい方を前記Ｍｙとすると、
Ｓｙ≦Ｂｙ≦Ｓｙ＋２（Ｍｙ＋Ｇｙ）
であることを特徴とする請求項１に記載の液晶表示パネル。
【発明の詳細な説明】
【技術分野】
【０００１】
本発明の実施形態は、液晶表示パネルに関する。
【背景技術】
【０００２】
近年、高輝度、高精細である高性能の液晶表示装置が求められている。このような液晶表示装置には、例えば、アクティブマトリクス型の液晶表示パネルが多く用いられている。液晶表示パネルは、アレイ基板と、対向基板と、アレイ基板及び対向基板間に挟持された液晶層とを備えている。アレイ基板は、互いに交差するように配線された複数本の走査線と複数本の信号線と、これら走査線及び信号線により区画された各画素領域に形成されたスイッチング素子としての薄膜トランジスタ（Thin Film Transistor：ＴＦＴ）と、を備えている。
【０００３】
対向基板は、対向電極と、光の三原色である赤・緑・青の三種類の着色層がライン状に形成されたカラーフィルタと、を備えている。アレイ基板及び対向基板は、これら両基板の周縁部に配置されたシール材により貼り合せられ、接合されている。アレイ基板の外面及び対向基板の外面には、それぞれ偏光板が配置されている。
【０００４】
上記液晶表示パネルにおいて、カラーフィルタは、信号線と走査線に重なったブラックマトリクス層を有している。ブラックマトリクス層は、２種類の着色層の間と、額縁部とに重なるように形成されている。各着色層とブラックマトリクス層は、パターニング精度に起因して光漏れや混色が起きることを防止するため、ブラックマトリクス層の上に着色層が乗り上げる構造になっている。
【０００５】
液晶表示パネルは、アレイ基板及び対向基板間の隙間を一定に保つための複数のスペーサとして、複数の柱状スペーサを備えている。柱状スペーサをアレイ基板上にフォトリソグラフィ法により形成する場合、表示領域を避けて柱状スペーサを配置出来るため、良好な表示品位を得ることができる。このとき、柱状スペーサを配置する領域については、セルギャップの均一性を保つため、アレイ基板、対向基板ともに安定した平坦度を確保できる領域を選び配置する。また、柱状スペーサは、開口部に重ならない様に、また安定した平坦度確保の為、アレイ基板のコンタクトホール周辺を避け、信号線と走査線の交点付近に配置されている。
【０００６】
ブラックマトリクス層に重ねて柱状スペーサを配置することにより、柱状スペーサの選択的配置と高さの精度向上によるセルギャップ均一化に寄与してきたものである。
【先行技術文献】
【特許文献】
【０００７】
【特許文献１】特開２００７−８６４１０号公報
【発明の概要】
【発明が解決しようとする課題】
【０００８】
しかしながら近年、４種類以上の着色層を多彩に組み合わせたカラーフィルタを形成した液晶表示パネルの開発が進んでいる。この場合、カラーフィルタは、４種類又はそれ以上の着色層の接点部を有することとなる。着色層のパターニングのばらつきにより、接点部においては、着色層同士が重なったり間隔を有したりすることがある。
【０００９】
この為、着色層の重なりのばらつきにより、カラーフィルタの厚み方向の公差が拡大するため、着色層の接点部に対向配置された柱状スペーサによる均一なセルギャップの保持は困難なものとなる。上記の均一なセルギャップの保持は、柱状スペーサに対向する着色層の接点部が、より多くの種類の着色層の接点部であるほど、困難なものとなる。
【００１０】
この発明は以上の点に鑑みなされたもので、その目的は、アレイ基板及び対向基板間の隙間を一定に保持することができる、表示品位に優れた液晶表示パネルを提供することにある。
【課題を解決するための手段】
【００１１】
一実施形態に係る液晶表示パネルは、
表示領域を有したアレイ基板と、
前記表示領域を有し、前記アレイ基板に隙間をおいて対向配置された対向基板と、
前記アレイ基板と対向基板間に挟持された液晶層と、
前記アレイ基板及び対向基板間の前記表示領域に設けられた複数の画素と、
前記対向基板に設けられ、遮光部と、４以上の自然数であるｎ種類有し、前記アレイ基板及び対向基板の平面に沿った複数方向に種類を異ならせて島状に配置され、それぞれ前記画素を形成する複数の着色層と、を含み、前記複数の着色層は最大でｎ−１種類の着色層の接点部を有し、前記接点部は前記遮光部に重なって位置しているカラーフィルタと、
前記アレイ基板又は対向基板に形成され、前記遮光部及び接点部に重ねられ、前記アレイ基板と対向基板間の隙間を保持した複数の柱状スペーサと、を備えていることを特徴としている。
【図面の簡単な説明】
【００１２】
【図１】図１は、一実施形態に係る液晶表示パネルを示す斜視図である。
【図２】図２は、図１に示したアレイ基板の平面図である。
【図３】図３は、図１及び図２に示したアレイ基板の一部を示す拡大平面図である。
【図４】図４は、図３に示したアレイ基板の等価回路図である。
【図５】図５は、図３に示した液晶表示パネルの線Ａ−Ａ断面図である。
【図６】図６は、図３に示した液晶表示パネルの線Ｂ−Ｂ断面図である。
【図７】図７は、図１に示した対向基板の一部を示す拡大平面図であり、カラーフィルタの角部を示し、着色層への柱状スペーサの突き当たり具合を示した図である。
【図８】図８は、図７に示した対向基板の一部をさらに拡大して示す平面図である。
【図９】図９は、図８に示した対向基板の一部をさらに拡大して示す平面図である。
【図１０】図１０は、上記カラーフィルタの変形例を示す平面図である。
【図１１】図１１は、上記カラーフィルタの他の変形例を示す平面図である。
【図１２】図１２は、上記カラーフィルタの他の変形例を示す平面図である。
【発明を実施するための形態】
【００１３】
以下、図面を参照しながら一実施形態に係る液晶表示パネルについて詳細に説明する。  
図１、図５及び図６に示すように、液晶表示パネルは、アレイ基板１と、このアレイ基板に対向配置された対向基板２と、これら両基板間に挟持された液晶層３とを備えている。液晶表示パネルは、アレイ基板１及び対向基板２が重なった表示領域Ｒを有している。アレイ基板１は、表示領域Ｒにマトリクス状に配置された複数の画素１３を有している。なお、画素１３については後述する。
【００１４】
図２に示すように、表示領域Ｒの外側において、ガラス基板１０上には、走査線駆動回路４、信号線駆動回路５及び補助容量線駆動回路６が形成されている。走査線駆動回路４は、表示領域Ｒの外側に延出した複数の走査線１９と接続されている。信号線駆動回路５は、表示領域Ｒの外側に延出した複数の信号線２７と接続されている。補助容量線駆動回路６は、表示領域Ｒの外側に延出した複数の補助容量線２１と接続されている。
【００１５】
図１乃至図６に示すように、アレイ基板１は、透明な絶縁基板として、例えばガラス基板１０を備えている。ガラス基板１０上にはアンダーコーティング層１２が成膜されている。
【００１６】
表示領域Ｒにおいて、ガラス基板１０上には、第１方向Ｘに沿って延出した複数の走査線１９及び第１方向に直交した第２方向Ｙに沿って延出した複数の信号線２７が配置されている。ガラス基板１０上には、走査線１９に平行な複数の補助容量線２１が形成されている。隣合う２本の信号線２７及び隣合う２本の補助容量線２１で囲まれた各領域には画素１３が形成されている。
【００１７】
次に、画素１３を１つ取り出して説明する。  
図２乃至図６に示すように、画素１３は、画素電極３４、この画素電極に接続されたスイッチング素子としてのＴＦＴ（薄膜トランジスタ）１４及び補助容量素子１６を有している。
【００１８】
詳述すると、アンダーコーティング層１２上に、チャネル層１５及び補助容量電極１７が形成されている。チャネル層１５及び補助容量電極１７は、アンダーコーティング層１２上に形成された半導体膜をパターニングすることにより、同一材料で同時に形成されている。この実施形態において、チャネル層１５及び補助容量電極１７は、ポリシリコンで形成されている。
【００１９】
アンダーコーティング層１２、チャネル層１５及び補助容量電極１７上に、ゲート絶縁膜１８が成膜されている。ゲート絶縁膜１８上に、複数の走査線１９と、これら走査線の一部を延出した複数のゲート電極２０と、複数の補助容量線２１とが形成されている。補助容量電極１７と重なった領域において、補助容量線２１にそれぞれ開口部２１ａが形成されている。
【００２０】
走査線１９、ゲート電極２０及び補助容量線２１は、アルミニウムやモリブデン−タングステン等の遮光性を有する低抵抗材料により同時に形成されている。この実施形態において、走査線１９、ゲート電極２０及び補助容量線２１は、モリブデン−タングステンで形成されている。
【００２１】
各ゲート電極２０は、各チャネル層１５に重なって形成されている。各補助容量線２１は、複数の補助容量電極１７に重なって形成されている。ゲート絶縁膜１８を介して対向配置された補助容量電極１７及び補助容量線２１は、補助容量素子１６を形成している。
【００２２】
ゲート絶縁膜１８、走査線１９、ゲート電極２０及び補助容量線２１上に、層間絶縁膜２２が形成されている。層間絶縁膜２２上には、複数のソース電極２６、複数の信号線２７、複数のドレイン電極２８、複数の接続配線２９及び複数のコンタクト電極３０が形成されている。
【００２３】
ソース電極２６及び信号線２７は、一体に形成され、互いに電気的に接続されている。複数のドレイン電極２８、複数の接続配線２９及び複数のコンタクト電極３０は、一体に形成され、互いに電気的に接続されている。
【００２４】
ソース電極２６は、ゲート絶縁膜１８及び層間絶縁膜２２の一部を貫通したコンタクトホール２３を介してチャネル層１５のソース領域ＲＳに電気的に接続されている。ドレイン電極２８は、ゲート絶縁膜１８及び層間絶縁膜２２の一部を貫通したコンタクトホール２４を介してチャネル層１５のドレイン領域ＲＤに電気的に接続されている。
【００２５】
また、コンタクト電極３０は、ゲート絶縁膜１８及び層間絶縁膜２２の一部を貫通したコンタクトホール２５を介して補助容量電極１７に電気的に接続されている。コンタクトホール２５は、補助容量線２１の開口部２１ａを通っている。このため、コンタクト電極３０及び補助容量線２１間の絶縁状態は維持されている。
【００２６】
ソース電極２６、信号線２７、ドレイン電極２８、接続配線２９及びコンタクト電極３０は、アルミニウムやモリブデン−タングステン等の遮光性を有する低抵抗材料により同時に形成されている。この実施の形態において、ソース電極２６、信号線２７、ドレイン電極２８、接続配線２９及びコンタクト電極３０は、アルミニウムで形成されている。
【００２７】
層間絶縁膜２２、ソース電極２６、信号線２７、ドレイン電極２８、接続配線２９及びコンタクト電極３０上に、絶縁膜として、透明な樹脂により平坦化膜３１が成膜されている。この実施形態において、平坦化膜３１は有機絶縁膜である。平坦化膜３１は、補助容量線２１及びコンタクト電極３０にそれぞれ重なって形成された複数のコンタクトホール３２を有している。
【００２８】
平坦化膜３１上には、ＩＴＯ（インジウム・ティン・オキサイド）等の透明な導電材料により複数の画素電極３４が形成されている。画素電極３４は、マトリクス状に配置されている。画素電極３４は、コンタクトホール３２を介してコンタクト電極３０に電気的に接続されている。画素電極３４は、隣合う２本の信号線２７及び隣合う２本の補助容量線２１に周縁を重ねて形成されている。画素電極３４は、信号線２７に沿った方向に長軸を有している。
【００２９】
上記のように、ガラス基板１０上に、ＴＦＴ１４、補助容量素子１６及び画素電極３４等を有した下地層１１が形成されている。下地層１１上には、複数のコンタクトホール３２から外れた複数の柱状スペーサ３５が形成されている。柱状スペーサ３５は補助容量線２１に重ねて形成されている。この実施形態において、柱状スペーサ３５は、楕円柱であり、アレイ基板１及び対向基板２の平面に沿った断面が楕円形である。柱状スペーサ３５が形成された下地層１１上に、配向膜３７が形成されている。  
複数の画素１３は、ＴＦＴ１４、補助容量素子１６、コンタクトホール３２及び画素電極３４をそれぞれ１つずつ有している。
【００３０】
次に、対向基板２について説明する。  
図１、図４、図５及び図６に示すように、対向基板２は、透明な絶縁基板として、例えばガラス基板４０を備えている。ガラス基板４０上には、カラーフィルタ５０が形成されている。カラーフィルタ５０上には、オーバーコート膜４１が形成されている。オーバーコート膜４１は、絶縁材料として、例えば有機絶縁材料で形成されている。オーバーコート膜４１上には、ＩＴＯ等の透明な導電材料により対向電極４２が形成されている。カラーフィルタ５０、オーバーコート膜４１及び対向電極４２上に、配向膜４３が形成されている。
【００３１】
アレイ基板１及び対向基板２は、複数の柱状スペーサ３５により、所定の隙間を保持して対向配置されている。アレイ基板１及び対向基板２は、表示領域Ｒ外周の両基板間に配置されたシール材６０により接合されている。液晶層３は、アレイ基板１、対向基板２及びシール材６０で囲まれた領域に形成されている。シール材６０の一部には液晶注入口６１が形成され、この液晶注入口は封止材６２で封止されている。
【００３２】
次に、上述したカラーフィルタ５０について説明する。  
図５、図６、図７及び図８に示すように、カラーフィルタ５０は、遮光部５１、周辺遮光部５２及びｎ種類の着色層を有している。ｎは４以上の自然数である。この実施形態において、ｎ＝４であり、４種類（４色）の着色層は、赤色の着色層５０Ｒ、緑色の着色層５０Ｇ、青色の着色層５０Ｂ及び無彩色、無着色の着色層５０Ｗである。
【００３３】
遮光部５１は、表示領域Ｒにおいて、ガラス基板４０上に、信号線２７及び補助容量線２１に重なって形成されている。遮光部５１は、格子状に形成され、ブラックマトリクスとして機能している。周辺遮光部５２は、表示領域Ｒの外側において、ガラス基板４０上に矩形枠状に形成されている。周辺遮光部５２は、表示領域Ｒの周縁部全周に沿って形成され、表示領域Ｒ外側から漏れる光の遮光に寄与している。遮光部５１及び周辺遮光部５２は、マトリクス状の複数の開口部５３を形成している。
【００３４】
着色層５０Ｒ、５０Ｇ、５０Ｂ、５０Ｗは、ガラス基板４０、遮光部５１及び周辺遮光部５２上に形成されている。着色層５０Ｒ、５０Ｇ、５０Ｂ、５０Ｗは、それぞれ周縁を遮光部５１に重ねて形成されている。
【００３５】
着色層５０Ｒ、５０Ｇ、５０Ｂ、５０Ｗは、アレイ基板１及び対向基板２の平面に沿った複数方向に種類を異ならせて島状に配置され、それぞれ画素１３を形成している。着色層５０Ｒ、５０Ｇ、５０Ｂ、５０Ｗは、複数方向である第１方向Ｘ及び第２方向Ｙに沿った辺を持つ矩形状に形成されている。着色層５０Ｒ、５０Ｇ、５０Ｂ、５０Ｗは、第１方向Ｘにおいて第２方向Ｙに互いにずれて配置され、第２方向Ｙにおいて直線状に並んで配置されている。
【００３６】
ある行の着色層は、第１方向Ｘにおいて、着色層５０Ｒ、着色層５０Ｇ、着色層５０Ｂ、着色層５０Ｗの順に交互に並べられ、その次の行の着色層は、第１方向Ｘにおいて、着色層５０Ｂ、着色層５０Ｗ、着色層５０Ｒ、着色層５０Ｇの順に交互に並べられている。
【００３７】
図７及び図８に示すように、複数の着色層の内、第１着色層５０Ｒと、第１着色層５０Ｒに第２方向Ｙに隣合う第２着色層５０Ｂと、第１着色層５０Ｒに第１方向Ｘに隣合う第３着色層５０Ｇと、第２着色層５０Ｂに第１方向Ｘに隣合い第３着色層５０Ｇに第２方向Ｙに隣合う第４着色層５０Ｗとは、互いに種類（色）が異なっている。なお、この実施形態において、第１着色層５０Ｒ、第２着色層５０Ｂ、第３着色層５０Ｇ及び第４着色層５０Ｗは、１つの絵素を形成している。
【００３８】
複数の着色層は最大でｎ−１種類の着色層の接点部を有している。ここで、接点部とは、最大でｎ−１種類の着色層が重なる可能性のある部分である。この実施形態において、着色層５０Ｒ、５０Ｇ、５０Ｂ、５０Ｗは、最大で３種類の着色層の接点部Ｐを有している。複数の着色層間の角部同士の接点部Ｐの数は２である。接点部Ｐは遮光部５１に重なって位置している。なお、柱状スペーサ３５は、遮光部５１及び接点部Ｐに重ねられている。
【００３９】
図８及び図９に示すように、第１着色層５０Ｒ及び第２着色層５０Ｂ間の第１境界線Ｂ１と、第３着色層５０Ｇ及び第４着色層５０Ｗ間の第２境界線Ｂ２との第２方向Ｙの間隔をΔｙとする。遮光部の第２方向Ｙの幅をＢｙとする。第２方向Ｙにおける、第１境界線Ｂ１の第２境界線Ｂ２側へのずれ量と、第２境界線Ｂ２の第１境界線Ｂ１側へのずれ量とをＷｃｙ１とする。
【００４０】
第２方向Ｙにおける、第１境界線Ｂ１と対向した遮光部５１の第１側縁５１ａ側への第１境界線Ｂ１のずれ量と、第２境界線Ｂ２と対向した遮光部５１の第２側縁５１ｂ側への第２境界線Ｂ２のずれ量とをＷｃｙ２とする。
【００４１】
第２方向Ｙにおける、遮光部５１の第１側縁５１ａの第１境界線Ｂ１側へのずれ量と、遮光部５１の第２側縁５１ｂの第２境界線Ｂ２側へのずれ量とをＷｂｙとする。なお、ずれ量Ｗｃｙ１、Ｗｃｙ２、Ｗｂｙは、製造誤差を想定したものである。
【００４２】
すると、次の関係式、
２Ｗｃｙ１＜Δｙ＜Ｂｙ
を満たすものである。
【００４３】
次いで、柱状スペーサ３５の第２方向Ｙの幅をＳｙとする。第２方向Ｙにおける、５０Ｒ、５０Ｇ、５０Ｂ、５０Ｗのそれぞれの着色層と遮光部５１の重なり幅をＭｙとする。尚、１画素内において着色層と遮光部５１の重なり幅が大小ある場合には、小さい幅をＭｙとする。第２方向Ｙにおける、柱状スペーサ３５の、遮光部５１の第１側縁５１ａ側又は第２側縁５１ｂ側へのずれ量をＧｙ、とする。なお、ずれ量Ｇｙは、第２方向Ｙにおけるアレイ基板１と対向基板２を位置合わせした際の誤差である合わせズレを想定したものである。
【００４４】
すると、次の関係式、
Ｓｙ≦Ｂｙ≦Ｓｙ＋２（Ｍｙ＋Ｇｙ）
を満たすものである。
【００４５】
例えば、Ｍｙ＝４μｍ、Ｇｙ＝３μｍとした場合、Ｂｙ≦Ｓｙ＋１４μｍであると、柱状スペーサ３５が常に遮光された状態で安定した高さを保ち、開口率の低下を防ぐことができるものである。
【００４６】
以上のように構成された液晶表示パネルによれば、液晶表示パネルは、アレイ基板１と、対向基板２と、液晶層３と、複数の画素１３と、カラーフィルタ５０と、複数の柱状スペーサ３５と、を備えている。カラーフィルタ５０は、遮光部５１と、着色層５０Ｒ、５０Ｇ、５０Ｂ、５０Ｗとを含んでいる。着色層５０Ｒ、５０Ｇ、５０Ｂ、５０Ｗは最大で３種類の着色層の接点部Ｐを有するものである。接点部Ｐは遮光部５１に重なって位置している。柱状スペーサ３５は、アレイ基板１に形成され、遮光部５１及び接点部Ｐに重ねられ、アレイ基板１及び対向基板２間の隙間を保持している。上記実施形態では、２Ｗｃｙ１＜Δｙ＜Ｂｙを満たすものである。
【００４７】
３種類を超える着色層の接点部を形成しないよう、着色層はライン毎に繰り返しずらして配置されている。カラーフィルタ５０の高さ（遮光部５１に乗り上げる着色層の高さ）のばらつきを抑えることができる。柱状スペーサ３５突き当て部のより安定した高さ（厚み）精度をとることができるため、アレイ基板１及び対向基板２間の隙間を柱状スペーサ３５により、一定に保持することができる。
【００４８】
高輝度、高精細な液晶表示パネル、即ち高開口率が求められる場合、Ｓｙ≦Ｂｙ≦Ｓｙ＋２（Ｍｙ＋Ｇｙ）の条件下で特に有効であり、工程において上記ずれ（ばらつき）が生じても均一なセルギャップを維持することができる。
【００４９】
上記したことから、アレイ基板及び対向基板間の隙間を一定に保持することができる、表示品位に優れた液晶表示パネルを得ることができる。また、高輝度、高性能である、製品歩留まりの高い液晶表示パネルを得ることができる。
【００５０】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００５１】
例えば、図１０に示すように、着色層５０Ｒ、５０Ｇ、５０Ｂ、５０Ｗの角部上に柱状スペーサ３５を対向配置する場合、着色層は、角を取り除いた設計、例えばＲ加工やＣ加工を施すとよい。着色層間に隙間が生じても、隙間が柱状スペーサ３５のサイズより小さい場合は、対向基板２の高さに変動は無い。これにより、均一なセルギャップの形成に寄与することができる。
【００５２】
図１１に示すように、着色層５０Ｒ、５０Ｇ、５０Ｂ、５０Ｗは、第１方向Ｘにおいて直線状に並んで配置され、第２方向Ｙにおいて第１方向Ｘに互いにずれて配置されていてもよく、この場合も上述した効果を得ることができる。
【００５３】
着色層５０Ｒ、５０Ｇ、５０Ｂ、５０Ｗの形状は、長方形等の矩形状に限らず種々変形可能であり、三角形や、五角形以上の多角形等であってもよい。  
図１２に示すように、着色層５０Ｒ、５０Ｇ、５０Ｂ、５０Ｗの形状が六角形である場合、着色層は最大で３種類の着色層の接点部Ｐを有することになる。この場合も上述した効果を得ることができる。
【００５４】
着色層の種類は、上述した４種類に限らず、他の４種類であったり、５種類以上であってもよく、この場合も上述した効果を得ることができる。  
柱状スペーサ３５は、アレイ基板１に限らず、アレイ基板１又は対向基板２に形成されていればよく、これにより、上述した効果を得ることができる。  
この発明は、上述した液晶表示パネルに限定されるものではなく、各種の液晶表示パネルに適用可能である。
以下に、本願出願の当初の特許請求の範囲に記載された発明を付記する。
［１］表示領域を有したアレイ基板と、
前記表示領域を有し、前記アレイ基板に隙間をおいて対向配置された対向基板と、
前記アレイ基板と対向基板間に挟持された液晶層と、
前記アレイ基板及び対向基板間の前記表示領域に設けられた複数の画素と、
前記対向基板に設けられ、遮光部と、４以上の自然数であるｎ種類有し、前記アレイ基板及び対向基板の平面に沿った複数方向に種類を異ならせて島状に配置され、それぞれ前記画素を形成する複数の着色層と、を含み、前記複数の着色層は最大でｎ−１種類の着色層の接点部を有し、前記接点部は前記遮光部に重なって位置しているカラーフィルタと、
前記アレイ基板又は対向基板に形成され、前記遮光部及び接点部に重ねられ、前記アレイ基板と対向基板間の隙間を保持した複数の柱状スペーサと、を備えていることを特徴とする液晶表示パネル。
［２］前記複数の着色層は、前記複数方向である第１方向及び前記第１方向に直交した第２方向に沿った辺を持つ矩形状に形成され、
前記ｎは４であり、
前記複数の着色層は最大で３種類の着色層の接点部を有し、
前記複数の着色層間の角部同士の接点部の数は２であることを特徴とする［１］に記載の液晶表示パネル。
［３］前記複数の着色層は、前記第１方向において前記第２方向に互いにずれて配置され、前記第２方向において直線状に並んで配置され、
前記遮光部は、前記複数の着色層の周縁に重なるよう格子状に形成され、
前記複数の着色層の内、第１着色層と、前記第１着色層に前記第２方向に隣合う第２着色層と、前記第１着色層に前記第１方向に隣合う第３着色層と、前記第２着色層に前記第１方向に隣合い前記第３着色層に前記第２方向に隣合う第４着色層とは、互いに種類が異なっていることを特徴とする［２］に記載の液晶表示パネル。
［４］前記第１着色層及び第２着色層間の第１境界線、並びに前記第３着色層及び第４着色層間の第２境界線、の前記第２方向の間隔をΔｙ、
前記遮光部の前記第２方向の幅をＢｙ、
前記第２方向における、前記第１境界線の前記第２境界線側へのずれ量及び前記第２境界線の前記第１境界線側へのずれ量をＷｃｙ１、
前記第２方向における、前記第１境界線と対向した前記遮光部の第１側縁側への前記第１境界線のずれ量及び前記第２境界線と対向した前記遮光部の第２側縁側への前記第２境界線のずれ量をＷｃｙ２、
前記第２方向における、前記遮光部の第１側縁の前記第１境界線側へのずれ量及び前記遮光部の第２側縁の前記第２境界線側へのずれ量をＷｂｙ、とすると、
２Ｗｃｙ１＜Δｙ＜Ｂｙ
であることを特徴とする［３］に記載の液晶表示パネル。
［５］前記複数の柱状スペーサは、前記アレイ基板に形成され、
前記柱状スペーサの前記第２方向の幅をＳｙ、
前記遮光部の幅をＢｙ、
前記第２方向における、前記着色層及び遮光部の重なり幅をＭｙ、
前記第２方向における、前記柱状スペーサの前記遮光部の第１側縁側又は第２側縁側へのずれ量をＧｙ、とすると、
Ｓｙ≦Ｂｙ≦Ｓｙ＋２（Ｍｙ＋Ｇｙ）
であることを特徴とする［３］又は［４］に記載の液晶表示パネル。
【符号の説明】
【００５５】
１…アレイ基板、２…対向基板、３…液晶層、１０…ガラス基板、１３…画素、１４…ＴＦＴ、１６…補助容量素子、１９…走査線、２１…補助容量線、２７…信号線、３４…画素電極、３５…柱状スペーサ、４０…ガラス基板、５０…カラーフィルタ、５０Ｒ，５０Ｇ，５０Ｂ，５０Ｗ…着色層、５１…遮光部、５１ａ…第１側縁、５１ｂ…第２側縁、５２…周辺遮光部、Ｒ…表示領域、Ｘ…第１方向、Ｙ…第２方向、Ｐ…接点部、Ｂ１…第１境界線、Ｂ２…第２境界線、Ｓｙ，Ｂｙ，Ｍｙ…幅、Δｙ…間隔、Ｗｃｙ１，Ｗｃｙ２，Ｗｂｙ，Ｇｙ…ずれ量。
【図１】
0005555649.tif 000002
【図２】
0005555649.tif 000003
【図３】
0005555649.tif 000004
【図４】
0005555649.tif 000005
【図５】
0005555649.tif 000006
【図６】
0005555649.tif 000007
【図７】
0005555649.tif 000008
【図８】
0005555649.tif 000009
【図９】
0005555649.tif 000010
【図１０】
0005555649.tif 000011
【図１１】
0005555649.tif 000012
【図１２】
0005555649.tif 000013